(57)【特許請求の範囲】
【請求項１】
複数の第１の機器と、
各第１の機器に対応してそれぞれ設けられた複数の第２の機器と、
各第２の機器が自身を一意に識別する識別情報を有さない場合に、各第２の機器と各第１の機器の対応関係を特定する対応関係特定部と、
前記対応関係特定部により特定された対応関係に基づいて、各第１の機器及び各第２の機器の制御を行う制御部と
を備えたことを特徴とする貨幣処理装置。
【請求項２】
前記第１の機器及び該第１の機器に対応して設けられた第２の機器と前記制御部との間にそれぞれ複数の中継装置を接続し、
前記対応関係特定部は、
各中継装置を一意に特定する識別情報を用いて、各第１の機器と各第２の機器の対応関係を特定する
ことを特徴とする請求項１に記載の貨幣処理装置。
【請求項３】
前記複数の第２の機器にそれぞれ複数の付加部を接続し、
前記対応関係特定部は、
前記複数の付加部をそれぞれ一意に識別する識別情報を用いて、各第２の機器と各第１の機器の対応関係を特定する
ことを特徴とする請求項１に記載の貨幣処理装置。
【請求項４】
前記第２の機器は、
操作者の生体情報を取得して、取得した生体情報に基づいて該操作者の認証処理を行う
ことを特徴とする請求項１〜３のいずれか一つに記載の貨幣処理装置。
【請求項５】
前記第２の機器は、
前記操作者の生体情報として該操作者の指静脈、手のひらの静脈、指紋、顔又は虹彩のいずれか一つの情報を取得する
ことを特徴とする請求項４に記載の貨幣処理装置。
【請求項６】
操作権限を有する担当者の認証情報を含む登録認証情報を管理する管理装置
を備え、
複数の機器と、
各機器に対応してそれぞれ設けられ、操作者に係る認証情報を取得し、取得した操作者に係る認証情報と、前記管理装置から取得した登録認証情報とに基づいて認証処理を行う複数の認証部と、
各認証部が自身を一意に識別する識別情報を有さない場合に、各認証部と各機器の対応関係を特定する対応関係特定部と、
前記対応関係特定部により特定された対応関係に基づいて、各機器及び各認証装置の制御を行う制御部と
を有する貨幣処理装置
を備えたことを特徴とする貨幣処理システム。
【請求項７】
複数の第１の機器と、各第１の機器に対応してそれぞれ設けられた複数の第２の機器とを有する貨幣処理装置における機器制御方法であって、
各第２の機器が自身を一意に識別する識別情報を有さない場合に、各第２の機器と各第１の機器の対応関係を特定する対応関係特定ステップと、
前記対応関係特定ステップにより特定された対応関係に基づいて、各第１の機器及び各第２の機器の制御を行う制御ステップと
を含んだことを特徴とする機器制御方法。
【発明の詳細な説明】
【技術分野】
【０００１】
この発明は、銀行などの金融機関の店舗に配設され、受け付けた指示に応じて貨幣の収納又は払出を行う貨幣処理装置、貨幣処理システム及び機器制御方法に関する。
【背景技術】
【０００２】
従来、大口の貨幣の収納処理、１００枚単位で結束された束紙幣又は５０枚単位で包装された包装硬貨の出金処理を行う貨幣処理装置が知られている。例えば、特許文献１には、操作者の認証を行った後に、認証された操作者の指示に基づいて貨幣の収納処理及び払出処理を行う貨幣処理装置が開示されている。
【０００３】
この特許文献１の貨幣処理装置には、表示部と操作部を一対とした表示操作部が２組み設けられているため、２人の操作者が各表示操作部を用いて貨幣処理装置に対する操作を独立に行うことができる。
【先行技術文献】
【特許文献】
【０００４】
【特許文献１】特開２０００−１６３６３４号公報
【発明の概要】
【発明が解決しようとする課題】
【０００５】
しかしながら、上記特許文献１に代表される従来の貨幣処理装置のように、表示操作部が２組み設けられる場合には、各表示操作部に対応する制御部が２組み設けられ、各制御部が対応する表示操作部を制御するようにしているのが一般的であり、冗長な構成となっていた。このため、これらの２組みの表示操作部を１つの制御部で行おうとすると、表示操作部に併設される新たなデバイスにデバイスＩＤが付与されていない場合には、表示操作部と新たなデバイスとの間の対応関係を認識できなくなるという問題がある。
【０００６】
例えば、２人の操作者の正当性を認証する生体認証装置を各表示操作部に対してそれぞれ併設する場合に、この生体認証装置にデバイスＩＤが付与されていないとすると、貨幣処理装置は表示操作部と生体認証装置の対応関係を認識することができなくなる。この点について具体的に説明する。生体認証装置ａ１で認証された操作者の操作を表示操作部ｂ１で受け付け、生体認証装置ａ２で認証された操作者の操作を表示操作部ｂ２で受け付けるよう制御する場合を想定する。この場合、貨幣処理装置は、生体認証装置ａ１又は生体認証装置ａ２のいずれかで認証が行われたことを認識したとしても、生体認証装置にデバイスＩＤが付与されていないと、生体認証装置ａ１又は生体認証装置ａ２のいずれで認証されたのかを特定することができない。つまり、表示操作部ｂ１又は表示操作部ｂ２のいずれにおいて操作を受け付けるようにすればよいのかを特定することができないのである。
【０００７】
なお、各生体認証装置が接続されるＵＳＢ（Universal Serial Bus）ポートのポートＩＤと表示操作部が接続されるＵＳＢポートのポートＩＤとを対応付けて管理することで、表示操作部と生体認証装置の対応関係を明確化する対応策も考えられるが、接続先のＵＳＢポートが変更されると、表示操作部と生体認証装置の対応関係を正しく特定できなくなる。また、故障等に起因してやむを得ず接続先のＵＳＢポートを変更した場合には、生体認証装置と表示操作部の対応情報を再設定しなければならない。
【０００８】
これらのことから、複数の表示操作部を有する貨幣処理装置において、装置を一意に識別する識別情報を持たない生体認証装置が併設される場合に、各表示操作部と生体認証装置の対応関係をいかに効率良く特定するかが重要な課題となっている。なお、かかる課題は、表示操作と生体認証装置の対応関係を特定する場合に限定されるものではなく、複数のデバイスにそれぞれ新たなデバイスが設けられる場合にも同様に生ずる課題である。
【０００９】
本発明は、上記の従来技術の課題を解決するためになされたものであって、複数のデバイスにそれぞれ新たなデバイスが設けられる場合に、デバイス間の対応関係を効率良く特定することができる貨幣処理装置、貨幣処理システム及び機器制御方法を提供することを目的とする。
【課題を解決するための手段】
【００１０】
上述した課題を解決し、目的を達成するため、複数の第１の機器と、各第１の機器に対応してそれぞれ設けられた複数の第２の機器と、各第２の機器が自身を一意に識別する識別情報を有さない場合に、各第２の機器と各第１の機器の対応関係を特定する対応関係特定部と、前記対応関係特定部により特定された対応関係に基づいて、各第１の機器及び各第２の機器の制御を行う制御部とを備えたことを特徴とする。
【００１１】
また、本発明は、上記発明において、前記第１の機器及び該第１の機器に対応して設けられた第２の機器と前記制御部との間にそれぞれ複数の中継装置を接続し、前記対応関係特定部は、各中継装置を一意に特定する識別情報を用いて、各第１の機器と各第２の機器の対応関係を特定することを特徴とする。
【００１２】
また、本発明は、上記発明において、前記複数の第２の機器にそれぞれ複数の付加部を接続し、前記対応関係特定部は、前記複数の付加部をそれぞれ一意に識別する識別情報を用いて、各第２の機器と各第１の機器の対応関係を特定することを特徴とする
【００１３】
また、本発明は、上記発明において、前記第２の機器は、操作者の生体情報を取得して、取得した生体情報に基づいて該操作者の認証処理を行うことを特徴とする。
【００１４】
また、本発明は、上記発明において、前記第２の機器は、前記操作者の生体情報として該操作者の指静脈、手のひらの静脈、指紋、顔又は虹彩のいずれか一つの情報を取得することを特徴とする。
【００１５】
また、本発明は、操作権限を有する担当者の認証情報を含む登録認証情報を管理する管理装置を備え、複数の機器と、各機器に対応してそれぞれ設けられ、操作者に係る認証情報を取得し、取得した操作者に係る認証情報と、前記管理装置から取得した登録認証情報とに基づいて認証処理を行う複数の認証部と、各認証部が自身を一意に識別する識別情報を有さない場合に、各認証部と各機器の対応関係を特定する対応関係特定部と、前記対応関係特定部により特定された対応関係に基づいて、各機器及び各認証装置の制御を行う制御部とを有する貨幣処理装置を備えたことを特徴とする。
【００１６】
また、本発明は、複数の第１の機器と、各第１の機器に対応してそれぞれ設けられた複数の第２の機器とを有する貨幣処理装置における機器制御方法であって、各第２の機器が自身を一意に識別する識別情報を有さない場合に、各第２の機器と各第１の機器の対応関係を特定する対応関係特定ステップと、前記対応関係特定ステップにより特定された対応関係に基づいて、各第１の機器及び各第２の機器の制御を行う制御ステップとを含んだことを特徴とする。
【発明の効果】
【００１７】
本発明によれば、複数の第２の機器が、複数の第１の機器に対応してそれぞれ設けられ、自身を一意に識別する識別情報を有さない場合に、各第２の機器と各第１の機器の対応関係を特定し、特定された対応関係に基づいて、各第１の機器及び各第２の機器の制御を行うよう構成したので、複数のデバイスにそれぞれ新たなデバイスが設けられる場合に、デバイス間の対応関係を効率良く特定することができる。
【図面の簡単な説明】
【００１８】
【図１】図１は、実施例１に係る出納機が表示部、操作部及び認証部の対応関係を特定するための処理の概要を示す図である。
【図２】図２は、実施例１に係る出納機の構成を示すブロック図である。
【図３】図３は、図２に示した出納機の記憶部に記憶されるデータを説明するための図である。
【図４】図４は、図２に示した認証部の詳細な構成を示すブロック図である。
【図５】図５は、図４に示した認証部の記憶部に記憶されるデータを説明するための図である。
【図６】図６は、表示部と認証部の対応関係を特定するために必要な図３に示した機器接続データの生成処理の処理手順を示すフローチャートである。
【図７】図７は、実施例２に係る出納機が表示部、操作部及び認証部の対応関係を特定するための処理の概要を示す図である。
【図８】図８は、実施例２に係る出納機の構成を示すブロック図である。
【図９】図９は、図８に示した出納機の記憶部に記憶されるデータを説明するための図である。
【図１０】図１０は、図８に示した認証部の詳細な構成を示すブロック図である。
【図１１】図１１は、表示部と認証部の対応関係を特定するために必要な図８に示した機器接続データの生成処理の処理手順を示すフローチャートである。
【発明を実施するための形態】
【００１９】
以下に、添付図面を参照して、本発明に係る貨幣処理装置、貨幣処理システム及び機器制御方法の好適な実施例を詳細に説明する。なお、以下に示す実施例では、本発明を金融機関に配設される出納機に適用した場合を示すこととする。
【実施例１】
【００２０】
まず、実施例１に係る出納機１が表示部６０、操作部６１及び認証部７０の対応関係を特定するための処理の概要について説明する。図１は、出納機１が表示部６０、操作部６１及び認証部７０の対応関係を特定するための処理の概要を示す図である。
【００２１】
図１（ａ）で、本発明に係る課題を具体的に説明し、図１（ｂ）で実施例１に係る課題解決するための処理の概要を説明する。図１（ａ）に示すように、出納機１の制御部１０には、第１表示操作部５１と第２表示操作部５２が接続される。第１表示操作部５１に接続される表示部６０ａ、操作部６１ａ及び認証部７０ａは、第２表示操作部５２に接続される表示部６０ｂ、操作部６１ｂ及び認証部７０ｂと同じ機器であり、それぞれがＵＳＢインタフェースで直接、制御部１０に接続される。
【００２２】
また、図１（ａ）に示すように、表示部６０ａ、６０ｂ及び操作部６１ａ、６１ｂはそれぞれ、個体を識別可能な装置ＩＤを有している。また、図１（ａ）は、表示部６０ａの装置ＩＤが「０１」で、表示部６０ｂの装置ＩＤが「０２」で、操作部６１ａの装置ＩＤが「１１」で、操作部６１ｂの装置ＩＤが「１２」であることを示している。一方、認証部７０ａ、７０ｂは、個体を識別可能な装置ＩＤを有していない。
【００２３】
制御部１０は、第１表示操作部５１及び第２表示操作部５２に含まれる機器とのＵＳＢ接続が認識されると、図１（ａ）に示すような機器接続データ２２を取得することができる。図１（ａ）に示す機器接続データ２２の接続識別情報は、機器が接続されるＵＳＢ接続ポートに対応する識別情報である。装置区分は、接続される装置の種類を示す情報であって、「１」が表示部６０ａ、６０ｂ、「２」が認証部７０ａ、７０ｂ、「３」が操作部６１ａ、６１ｂであることを示す。また、装置ＩＤは、各機器から通知される装置ＩＤである。認証部７０ａ、７０ｂは、個体を識別可能とする装置ＩＤを有していないので、図１（ａ）に示す機器接続データ２２の認証部７０ａ、７０ｂに対応する装置ＩＤには情報が存在しない。
【００２４】
制御部１０は、図１（ａ）に示す機器接続データ２２の装置区分と装置ＩＤだけでは、装置区分が「２」の機器が認証部７０ａ、７０ｂのいずれに対応するのかを識別できないので、表示部６０ａ、６０ｂ、操作部６１ａ、６１ｂ及び認証部７０ａ、７０ｂの対応関係を特定することができない。機器接続データ２２で係る対応関係を特定するためには、認証部７０ａ、７０ｂを接続識別情報で識別し、かかる接続識別情報と表示部６０ａ、６０ｂの装置ＩＤ及び操作部６１ａ、６１ｂの装置ＩＤとの対応関係が設定されたテーブルが必要となる。しかし、接続識別情報は、機器が接続するＵＳＢ接続ポートに対応する識別情報であるので、接続するＵＳＢポートを変更した場合には、対応関係が特定できなくなるので、テーブルを再設定しなければならなくなってしまうのである。
【００２５】
そこで、図１（ｂ）では、表示部６０ａ、６０ｂに対応付けて新たに認証部７０ａ、７０ｂを接続する場合や、認証部７０ａ、７０ｂが接続するＵＢＳ接続ポートを変更した場合に、対応関係が設定されたテーブルの設定又は設定の変更などの手間がかからない出納機１の構成と、出納機１における機器の対応関係を特定する方法の概要について図１（ｂ）を用いて説明する。
【００２６】
図１（ｂ）に示すように、第１表示操作部５１の表示部６０ａ、操作部６１ａ及び認証部７０ａは、１つのＵＳＢハブ４０を介して制御部１０に接続される。また、第２表示操作部５２の表示部６０ｂ、操作部６１ｂ及び認証部７０ｂは、別のＵＳＢハブ４０を介して制御部１０に接続される。
【００２７】
このような接続形態において、制御部１０は、第１表示操作部５１及び第２表示操作部５２に含まれる機器とのＵＳＢ接続が認識されると、図１（ｂ）に示すような機器接続データ２１を取得することができる。図１（ｂ）に示すように、制御部１０は、図１（ａ）の機器接続データ２１と同じ接続識別情報、装置区分及び装置ＩＤに加えて接続ＵＳＢハブＩＤの情報を取得することができる。接続ＵＳＢハブＩＤは、各機器が収容されるＵＳＢハブ４０の識別情報であり、ＵＳＢハブ４０が有する自身を一意に識別する識別情報であってもよいし、ＵＳＢハブ４０が制御部１０に接続されるＵＳＢ接続ポートを識別する情報であってもよい。
【００２８】
制御部１０は、各機器が収容されるＵＳＢハブ４０の識別情報を取得することができ、同一の接続ＵＳＢハブＩＤを有する機器を対応関係のある機器と特定することができる。つまり、図１（ｂ）の機器接続データ２１によれば、制御部１０は、接続識別情報が「０００１」、「０００２」、「０００３」の機器が、いずれも接続ＵＳＢハブＩＤが同じ「１」であるので、対応関係のある機器であることを特定できる。また、制御部１０は、接続識別情報が「０００４」、「０００５」、「０００６」の機器が、いずれも接続ＵＳＢハブＩＤが同じ「２」であるので、対応関係のある機器であることを特定できるのである。
【００２９】
このように、対応関係を持たせる表示部６０ａ、６０ｂ、操作部６１ａ、６１ｂ及び認証部７０ａ、７０ｂを同一のＵＳＢハブ４０を介して制御部１０と接続し、制御部１０は、接続される機器毎に経由するＵＳＢハブ４０の識別情報を取得し、取得した経由するＵＳＢハブ４０の識別情報が同じ機器を対応関係のある機器と特定するようにした。かかる構成により、複数の表示部６０ａ、６０ｂ及び操作部６１ａ、６１ｂにそれぞれ新たな認証部７０ａ、７０ｂが設けられる場合に、表示部６０ａ、６０ｂ及び操作部６１ａ、６１ｂと認証部７０ａ、７０ｂの対応関係を効率良く特定することができる。
【００３０】
次に、実施例１に係る出納機１の構成について説明する。図２は、出納機１の構成を示すブロック図である。図１に示すように、出納機１は、第１表示操作部５１、第２表示操作部５２、バラ紙幣処理部３１、束紙幣処理部３２、バラ硬貨処理部３３、包装硬貨処理部３４、記憶部２０及び制御部１０を有する。
【００３１】
第１表示操作部５１は、表示部６０ａ、操作部６１ａ及び認証部７０ａを有し、これらの機器はＵＳＢハブ４０を介して制御部１０と接続される。第２表示操作部５２は、表示部６０ｂ、操作部６１ｂ及び認証部７０ｂを有し、これらの機器はＵＳＢハブ４０を介して制御部１０と接続される。（以下、第１表示操作部５１又は第２表示操作部５２のいずれに属するかを特定しない場合には、表示部６０、操作部６１及び認証部７０と表記する。）
【００３２】
認証部７０は、指静脈による認証処理を行う装置であって、装置内部に当該出納機１の操作権限を有する担当者の指静脈情報が登録認証情報として記憶されている。また、認証部７０は、操作者の指が所定の位置にかざされたならば、操作者の指静脈情報を取得する。また、認証部７０は登録認証情報と、取得した操作者の指静脈情報とに基づいて、操作者の認証処理を行い、認証結果を制御部１０に通知する。
【００３３】
バラ紙幣処理部３１は、図示しないバラ紙幣の投入口に投入されたバラ紙幣の金種識別、真偽判定、金種別の枚数を計数し、装置内部に収納する。また、バラ紙幣処理部３１は、バラ紙幣の払い出しの指示を受け付けたならば、装置内部に収納されるバラ紙幣を図示しないバラ紙幣取出口に払い出す。
【００３４】
束紙幣処理部３２は、束紙幣の払い出しの指示を受け付けたならば、装置内部に収納される束紙幣を図示しない束紙幣取出口に払い出す。また、束紙幣処理部３２は、バラ紙幣処理部３１からバラ紙幣を受け取って、所定の枚数単位に結束することにより束紙幣を生成する機能を備える。
【００３５】
バラ硬貨処理部３３は、図示しないバラ硬貨の投入口に投入されたバラ硬貨の金種識別、真偽判定、金種別の枚数を計数し、装置内部に収納する。また、バラ硬貨処理部３３は、バラ硬貨の払い出しの指示を受け付けたならば、装置内部に収納されるバラ硬貨を図示しないバラ硬貨取出口に払い出す。
【００３６】
包装硬貨処理部３４は、包装硬貨の払い出しの指示を受け付けたならば、装置内部に収納される包装硬貨を図示しない包装硬貨取出口に払い出す。また、包装硬貨処理部３４は、バラ硬貨処理部３３からバラ硬貨を受け取って、所定の枚数単位に包装することにより包装硬貨を生成する機能を備える。
【００３７】
記憶部２０は、ハードディスク装置や不揮発性メモリ等からなる記憶デバイスである。記憶部２０は、機器接続データ２１を記憶する。機器接続データ２１は、表示部６０と認証部７０の対応関係を管理するためのデータである。
【００３８】
制御部１０は、出納機１の全体を制御する制御部であり、対応関係特定部１１を有する。実際には、対応関係特定部１１に対応するプログラムを図示しない記憶装置（ＨＤＤやＳＳＤなど）に記憶しておき、これらのプログラムをメインメモリにロードし、ＣＰＵ（Central Processing Unit）により実行することで、対応するプロセスを実行させることになる。
【００３９】
制御部１０は、出納機１の全体を制御する制御部である。制御部１０は、第１表示操作部５１又は第２表示操作部５２の表示部６０及び操作部６１による出納機１に対する指示操作の受け付けに先だって、認証部７０ａに指示することにより操作者の認証処理を行う。対応関係特定部１１は、この認証処理により操作者の認証が行われたならば、認証が行われた認証部７０に対応する、表示部６０及び操作部６１を特定する。そして、制御部１０は、この認証処理により操作者の認証が行われたならば、特定された表示部６０及び操作部６１で指示操作を受け付ける。また、制御部１０は、受け付けた指示操作に応じて、バラ紙幣処理部３１、束紙幣処理部３２、バラ硬貨処理部３３及び包装硬貨処理部３４を制御することにより貨幣の収納及び払い出しに係る処理を実施する。
【００４０】
次に、図２に示した出納機１の記憶部２０に記憶されるデータの具体例について説明する。図３は、出納機１の記憶部２０に記憶されるデータを説明するための図である。
【００４１】
図３に示すように、機器接続データ２１は、接続識別情報、装置区分、装置ＩＤ及び接続ＵＳＢハブＩＤを項目とするデータである。接続識別情報は、接続される機器とのＵＳＢ接続を識別する識別情報である。装置区分は、接続されている機器の種類を示すコード化されたデータであって、「１」は表示部６０で、「２」は認証部７０であることを示している。装置ＩＤは、接続されている機器の個体を識別するための識別情報である。接続ＵＳＢハブＩＤは、接続されている機器が経由しているＵＳＢハブ４０の識別情報である。
【００４２】
図３に示す機器接続データ２１の第１レコードは、接続識別情報が「０００１」のＵＳＢ接続機器は、装置区分が「１」であり表示部６０で、装置ＩＤが「０１」で、識別情報が「１」のＵＳＢハブ４０を介して制御部１０に接続されていることを示している。また、図３に示す機器接続データ２１の第２レコードは、接続識別情報が「０００２」のＵＳＢ接続機器は、装置区分が「１」であり表示部６０で、装置ＩＤが「０２」で、識別情報が「２」のＵＳＢハブ４０を介して制御部１０に接続されていることを示している。また、図３に示す機器接続データ２１の第３レコードは、接続識別情報が「０００３」のＵＳＢ接続機器は、装置区分が「２」であり認証部７０で、装置ＩＤが無く、識別情報が「１」のＵＳＢハブ４０を介して制御部１０に接続されていることを示している。また、図３に示す機器接続データ２１の第４レコードは、接続識別情報が「０００４」のＵＳＢ接続機器は、装置区分が「２」であり認証部７０で、装置ＩＤが無く、識別情報が「２」のＵＳＢハブ４０を介して制御部１０に接続されていることを示している。
【００４３】
また、図３に示した機器接続データ２１の例では、接続識別情報が「０００１」の表示部６０と、接続識別情報が「０００３」の認証部７０は、いずれも接続ＵＳＢハブＩＤが「１」であり、同一のＵＳＢハブ４０を介して制御部１０と接続しているので、対応付けられた表示部６０と認証部７０であると判定することができる。また、同様に、接続識別情報が「０００２」の表示部６０と、接続識別情報が「０００４」の認証部７０は、いずれも接続ＵＳＢハブＩＤが「２」であり、同一のＵＳＢハブ４０を介して制御部１０と接続しているので、対応付けられた表示部６０と認証部７０であると判定することができる。
【００４４】
次に、図２に示した認証部７０の詳細な構成について説明する。図４は、認証部７０の構成を示すブロック図である。図４に示すように、認証部７０は、通信部７１、撮像部７２、記憶部７３及び制御部７４を有する。
【００４５】
通信部７１は、制御部１０とのデータ通信を行うためのインタフェース部であり、ＵＳＢハブ４０を介して制御部１０と接続される。撮像部７２は、かざされた指の静脈に係る画像データを撮像するデータ取得部である。
【００４６】
記憶部７３は、不揮発性メモリ等からなる記憶デバイスである。記憶部７３は、登録生体データ７３ａ及び取得生体データ７３ｂを記憶する。登録生体データ７３ａは、当該出納機１の操作権限を有する担当者の認証情報である指の静脈に係る情報を含むデータである。取得生体データ７３ｂは、撮像部７２で撮像した操作者の指の静脈に係る情報である。
【００４７】
制御部７４は、認証部７０の全体を制御する制御部であり、認証処理部７４ａを有する。認証処理部７４ａは、制御部１０から認証処理を実行する旨の指示を受け付けると、撮像部７２に指がかざされることを監視し、撮像部７２に指がかざされたことを検知したならば、かざされた指の静脈に係る情報を取得して、取得生体データ７３ｂに記憶する。また、認証処理部７４ａは、取得した取得生体データ７３ｂと、登録生体データ７３ａとに基づいて撮像部７２で指静脈情報を取得された操作者が当該出納機１の操作権限を有するか否かの判定を含む認証処理を行う。また、認証処理部７４ａは、認証処理の結果を制御部１０に送信する。
【００４８】
次に、図４に示した認証部７０の記憶部７３に記憶されるデータの具体例について説明する。図５は、認証部７０の記憶部７３に記憶されるデータを説明するための図である。
【００４９】
図５（ａ）に示すように、登録生体データ７３ａは、出納機１の使用が認められている担当者の担当者ＩＤと、担当者ＩＤに関連付けられた指静脈情報とを項目とするデータである。図５（ａ）に示す登録生体データ７３ａは、担当者ＩＤが「０１００１」の担当者の指静脈情報が登録されていることを示している。
【００５０】
図５（ｂ）に示すように、取得生体データ７３ｂは、撮像部７２で撮像した認証処理対象の操作者の指静脈の情報である。図５（ｂ）に示す取得生体データ７３ｂは、撮像部７２で撮像された指静脈情報が記憶されており、この指静脈情報に基づいて認証処理を行った結果が「ＯＫ」であり、認証がされたことを示している。
【００５１】
次に、表示部６０と認証部７０の対応関係を特定するために必要な図３に示した機器接続データ２１の生成処理の処理手順について説明する。図６は、図３に示した機器接続データ２１の生成処理の処理手順を示すフローチャートである。
【００５２】
ＵＳＢインタフェースで接続される機器が接続されたことを検知したならば（ステップＳ１０１；Ｙｅｓ）、対応関係特定部１１は、機器接続データ２１に、接続が検知された機器に対応するレコードを追加する（ステップＳ１０２）。そして、対応関係特定部１１は、追加した機器接続データ２１のレコードの接続識別情報に、接続が検知された機器の接続を識別する情報を登録する（ステップＳ１０３）。また、対応関係特定部１１は、接続が検知された機器の種類を識別して、その識別結果を追加した機器接続データ２１のレコードの装置区分に登録する(ステップＳ１０４)。
【００５３】
ステップＳ１０４で識別された機器の種類が表示部６０で、自身を一意に識別する装置ＩＤを有する装置であった場合には（ステップＳ１０５；Ｙｅｓ）、対応関係特定部１１は、接続が検知された表示部６０の装置ＩＤを取得して、追加した機器接続データ２１のレコードの装置ＩＤに登録する（ステップＳ１０６）。また、対応関係特定部１１は、追加した機器接続データ２１のレコードの接続ＵＳＢハブＩＤに、接続が検知された機器が収容されているＵＳＢハブ４０の識別情報を登録して（ステップＳ１０７）、処理を終了する。ステップＳ１０４で識別された機器の種類が認証部７０で、自身を一意に識別する装置ＩＤを有さない装置であった場合には（ステップＳ１０５；Ｎｏ）、対応関係特定部１１は、ステップＳ１０６の処理をスキップしてステップＳ１０７に移行する。
【００５４】
ＵＳＢインタフェースで接続されている機器が切断されたことを検知したならば（ステップＳ１０１；Ｎｏ、ステップＳ１０８；Ｙｅｓ）、対応関係特定部１１は、機器接続データ２１の切断された接続識別情報に対するレコードを削除して（ステップＳ１０９）、処理を終了する。また、ＵＳＢインタフェースで接続されている機器が切断されたことを検知していない場合には（ステップＳ１０８；Ｎｏ）、ステップＳ１０１に戻ることによりＵＳＢインタフェース接続機器の接続又は切断を監視する。
【００５５】
上述してきたように、実施例１では、対応関係を持たせる表示部６０、操作部６１及び認証部７０を同一のＵＳＢハブ４０を介して制御部１０と接続している。制御部１０は、接続される機器毎に経由するＵＳＢハブ４０の識別情報を取得し、取得した経由するＵＳＢハブ４０の識別情報が同じ機器を対応関係のある機器と特定するようにしている。かかる構成により、複数の表示部６０にそれぞれ新たな認証部７０が設けられる場合に、表示部６０と認証部７０の対応関係を効率良く特定することができる。
【実施例２】
【００５６】
実施例１では、複数の表示部６０を有する出納機１において、装置個体を識別可能な識別情報が付与されていない認証部７０を表示部６０に対応付けて１つずつ接続する場合に、同一のＵＳＢハブ４０に、対応関係を有する表示部６０及び認証部７０を収容することによって、制御部１０が表示部６０と認証部７０の対応関係を特定できるようにしたが、本発明はこれに限定されるものではない。実施例２では、認証部１７０にディップスイッチ等の切替部を有する設定切替部１７３を設け、認証部１７０ごとにその設定を切り替えて、制御部１０でその設定情報を取得可能とすることにより、表示部６０と認証部７０の対応関係を特定できるようにする例を説明する。
【００５７】
まず、実施例２に係る出納機１０１が表示部６０、操作部６１及び認証部１７０の対応関係を特定するための処理の概要について説明する。図７は、出納機１０１が表示部６０、操作部６１及び認証部１７０の対応関係を特定するための処理の概要を示す図である。
【００５８】
図７に示すように、実施例２では、ＵＳＢハブ４０が構成から無くなり、第１表示操作部５１及び第２表示操作部５２の各機器は直接、制御部１０に接続される。また、認証部１７０ａ、１７０ｂには、設定切替部１７３ａ、１７３ｂが接続される。この設定切替部１７３ａ、１７３ｂは、ディップスイッチ等の設定情報を切り替えることのできる装置であり、その設定情報は、認証部１７０ａ、１７０ｂを介して制御部に通知される。図７は、設定切替部１７３ａに設定情報に「０１」が設定され、設定切替部１７３ｂに設定情報に「０２」が設定されていることを示している。
【００５９】
このような設定切替部１７３ａ、１７３ｂが設けられると、制御部１０は、第１表示操作部５１及び第２表示操作部５２に含まれる機器とのＵＳＢ接続が認識されると、図７に示すような機器接続データ１２１を取得することができる。図７に示す機器接続データ１２１の接続識別情報は、機器が接続されるＵＳＢ接続ポートに対応する識別情報である。装置区分は、接続される装置の種類を示す情報であって、「１」が表示部６０ａ、６０ｂ、「２」が認証部１７０ａ、１７０ｂ、「３」が操作部６１ａ、６１ｂであることを示す。また、装置ＩＤは、各機器から通知される装置ＩＤである。認証部１７０ａ、１７０ｂは、個体を識別可能とする装置ＩＤを有していないが、設定切替部１７３ａ、１７３ｂの設定情報を装置ＩＤとして扱うことができる。
【００６０】
このように、個体の識別情報を持たない認証部１７０ａ、１７０ｂに設定情報を個別に設定可能な設定切替部１７３ａ、１７３ｂを接続し、設定切替部１７３ａ、１７３ｂの設定情報を認証部１７０ａ、１７０ｂのＵＳＢ接続を介して取得可能とし、各設定切替部１７３ａ、１７３ｂに個別に異なる設定情報を設定するようにしたので、制御部１０は、取得した設定切替部１７３ａ、１７３ｂの設定情報により認証部１７０ａ、１７０ｂを識別し、表示部６０ａ、６０ｂ及び操作部６１ａ、６１ｂとの対応関係を特定するようにした。かかる構成により、複数のデバイスにそれぞれ新たなデバイスが設けられる場合に、デバイス間の対応関係を効率良く特定することができる。
【００６１】
次に、実施例２に係る出納機１０１の構成について説明する。図８は、出納機１０１の構成を示すブロック図である。図８に示す出納機１０１のブロック図では、実施例１の出納機１と同じ構成要素には出納機１と同じ符号を付与し、異なる構成要素には新たに採番した符号を付与した。出納機１０１の構成の説明では、実施例１の出納機１と同じ構成要素についての説明は省略し、符号を新たに採番した構成要素について主に説明するものとする。
【００６２】
図８に示すように、実施例２の出納機１０１は、実施例１の出納機１と比較すると第１表示操作部５１及び第２表示操作部５２と制御部１０の間にあったＵＳＢハブ４０が無くなり、第１表示操作部５１及び第２表示操作部５２の表示部６０ａ、６０ｂ及び認証部１７０ａ、１７０ｂが、直接、制御部１０と接続されている。また、認証部１７０ａ、１７０ｂも、実施例１の認証部７０と差異がある。認証部１７０ａ、１７０ｂには、ディップスイッチ等の設定情報の切替が可能な設定切替部１７３ａ、１７３ｂが接続され、各設定切替部１７３ａ、１７３ｂごとにその設定を切り替えて、制御部１０にその設定情報を認証部１７０ａ、１７０ｂを介して通知できるようになっている。認証部１７０ａ、１７０ｂの詳細な構成については後述する。（以下、第１表示操作部５１又は第２表示操作部５２のいずれに属するかを特定しない場合には、認証部１７０及び設定切替部１７３と表記する。）
【００６３】
また、図８に示すように、実施例２の出納機１０１の記憶部２０においては、機器接続データ１２１が実施例１の機器接続データ２１と差異がある。実施例２では、ＵＳＢハブ４０が構成に含まれていないことから、機器接続データ１２１には、ＵＳＢハブ４０に係る情報は含まれない。また、認証部１７０に設定切替部１７３が接続されたため、認証部１７０から通知される設定切替部１７３の設定情報は、認証部１７０の装置ＩＤとして、機器接続データ１２１の装置ＩＤに記憶されることになる。機器接続データ１２１に関する詳細な説明は後述する。
【００６４】
また、図８に示すように、実施例２の出納機１０１の記憶部２０には、ペア設定データ１２２が追加となっている。ペア設定データ１２２は、表示部６０の装置ＩＤと、設定切替部１７３の設定情報とを用いて、表示部６０と認証部１７０の対応関係を規定したデータである。
【００６５】
制御部１０においては、対応関係特定部１１１が、実施例１の対応関係特定部１１と差異がある。具体的には、実施例２では、表示部６０の装置ＩＤと、認証部１７０毎に接続された設定切替部１７３の設定情報と、ペア設定データ１２２とに基づいて表示部６０と認証部１７０の対応関係を特定する。
【００６６】
次に、図８に示した出納機１０１の記憶部２０に記憶されるデータの具体例について説明する。図９は、出納機１０１の記憶部２０に記憶されるデータを説明するための図である。
【００６７】
図９（ａ）に示すように、機器接続データ１２１は、接続識別情報、装置区分及び装置ＩＤを項目とするデータである。接続識別情報は、接続される機器とのＵＳＢ接続を識別する識別情報である。装置区分は、接続されている機器の種類を示すコード化されたデータであって、実施例１の機器接続データ２１の装置区分と同じである。装置ＩＤは、接続される機器の個体を識別するための識別情報である。実施例１では、装置区分が「２」の認証部７０の場合には、認証部７０が装置ＩＤを有していないことから装置ＩＤに情報が登録されることはなかった。実施例２では、認証部１７０毎に設定切替部１７３が接続され、認証部１７０から通知される設定切替部１７３の設定情報が、認証部１７０の装置ＩＤとして、機器接続データ１２１の装置ＩＤに記憶される。
【００６８】
図９に示す機器接続データ１２１の第１レコードは、接続識別情報が「０００１」のＵＳＢ接続機器は、装置区分が「１」であり表示部６０で、装置ＩＤが「０１」であることを示している。第２レコードは、接続識別情報が「０００２」のＵＳＢ接続機器は、装置区分が「１」であり表示部６０で、装置ＩＤが「０２」であることを示している。第３レコードは、接続識別情報が「０００３」のＵＳＢ接続機器は、装置区分が「２」であり認証部１７０で、装置ＩＤが「０１」であることを示している。第４レコードは、接続識別情報が「０００４」のＵＳＢ接続機器は、装置区分が「２」であり認証部１７０で、装置ＩＤが「０２」であることを示している。
【００６９】
図９（ｂ）に示すように、ペア設定データ１２２は、表示部６０の装置ＩＤと、認証部１７０の装置ＩＤを対応付けたデータである。図９（ｂ）に示すペア設定データ１２２の第１レコードは、装置ＩＤが「０１」の表示部６０と、装置ＩＤが「０１」の認証部１７０とに対応関係があることを示している。また、第２レコードは、装置ＩＤが「０２」の表示部６０と、装置ＩＤが「０２」の認証部１７０とに対応関係があることを示している。
【００７０】
次に、図８に示した認証部１７０の詳細な構成について説明する。図１０は、認証部１７０の詳細な構成を示すブロック図である。図１０に示す認証部１７０のブロック図では、実施例１の認証部７０と同じ構成要素には認証部７０と同じ符号を付与し、異なる構成要素には新たに採番した符号を付与した。認証部１７０の構成の説明では、実施例１の認証部７０と同じ構成要素についての説明は省略し、符号を新たに採番した構成要素について主に説明するものとする。
【００７１】
図１０に示すように、認証部１７０の実施例１の認証部７０との差異は、設定切替部１７３が追加になっている部分と、制御部７４に装置ＩＤ通知部１７４ｂが追加になっている部分である。
【００７２】
設定切替部１７３は、ディップスイッチ等であって、制御部７４からその設定情報を読み取ることができる。出納機１０１には複数の認証部１７０が接続されるが、各認証部１７０の設定切替部１７３は、各認証部１７０毎に異なる設定情報となるよう切替設定される。図１０に示すように、設定切替部１７３は、認証部１７０の内部に追加された構成としているが、これに限定されるものではない。例えば、設定切替部１７３を、認証部１７０の外部に設け、制御部７４から設定情報を読取可能となるように認証部１７０に接続するようにしてもよい。
【００７３】
制御部７４の装置ＩＤ通知部１７４ｂは、設定切替部１７３の設定情報を読み取って、制御部１０に通知する。このように各認証部１７０毎に設定切替部１７３で異なる設定が行われ、装置ＩＤ通知部１７４ｂが設定切替部１７３の設定情報を制御部１０に通知することにより、制御部１０は、各認証部１７０を識別することが可能となる。
【００７４】
次に、表示部６０と認証部１７０の対応関係を特定するために必要な図８に示した機器接続データ１２１の生成処理の処理手順について説明する。図１１は、図８に示した機器接続データ１２１の生成処理の処理手順を示すフローチャートである。
【００７５】
ＵＳＢインタフェースで接続される機器が接続されたことを検知したならば（ステップＳ２０１；Ｙｅｓ）、制御部１０は、機器接続データ１２１に、接続が検知された機器に対応するレコードを追加する（ステップＳ２０２）。そして、制御部１０は、追加した機器接続データ１２１のレコードの接続識別情報に、接続が検知された機器の接続を識別する情報を登録する（ステップＳ２０３）。また、制御部１０は、接続が検知された機器の種類を識別して、その識別結果を追加した機器接続データ１２１のレコードの装置区分に登録する(ステップＳ２０４)。
【００７６】
また、制御部１０は、接続が検知された機器が表示部６０の場合には、表示部６０の装置ＩＤを取得して、追加した機器接続データ１２１のレコードの装置ＩＤに登録する。また、制御部１０は、接続が検知された機器が認証部１７０の場合には、認証部１７０の設定切替部１７３の設定情報を取得して、追加した機器接続データ１２１のレコードの装置ＩＤに登録して（ステップＳ２０５）、処理を終了する。
【００７７】
ＵＳＢインタフェースで接続されている機器が切断されたことを検知したならば（ステップＳ２０１；Ｎｏ、ステップＳ２０６；Ｙｅｓ）、制御部１０は、機器接続データ１２１の切断された接続識別情報に対するレコードを削除して（ステップＳ２０７）、処理を終了する。また、ＵＳＢインタフェースで接続されている機器が切断されたことを検知していない場合には（ステップＳ２０６；Ｎｏ）、ステップＳ２０１に戻ることによりＵＳＢインタフェースで接続される機器の接続又は切断を監視する。
【００７８】
このように、機器接続データ１２１が接続状況に応じて更新されるので、制御部１０は、ペア設定データ１２２に基づいて表示部６０と認証部１７０との対応関係を特定することができる。
【００７９】
上述してきたように、実施例２では、個体の識別情報を持たない認証部１７０に設定情報を個別に設定可能な設定切替部１７３を接続し、設定切替部１７３の設定情報を認証部１７０のＵＳＢ接続を介して制御部１０により取得可能とし、各設定切替部１７３に個別に異なる設定情報を設定するようにしたので、制御部１０は、取得した設定切替部１７３の設定情報により認証部１７０を識別し、表示部６０との対応関係を特定するよう構成したので、複数の表示部６０にそれぞれ新たな認証部１７０が設けられる場合に、表示部６０と認証部１７０の対応関係を効率良く特定することができる。
【００８０】
なお、上述の実施例２では、表示部６０と認証部１７０を１対１に対応付ける例を説明しているが、本発明はこれに限定されるものではない。例えば、表示部６０を１つ、認証部１７０を２つ接続して、表示部６０に２つの画面を表示して、一方の画面を一方の認証部１７０で認証された操作者用の画面とし、他方の画面を他方の認証部１７０で認証された操作者用の画面として制御するようにしてもよい。
【００８１】
また、上述の実施例１及び実施例２では、自身を一意に識別する情報を有する表示部６０が複数接続され、自身を一意に識別する情報を有さない認証部７０が各表示部６０に対応付けて複数接続される場合に、表示部６０と認証部７０との対応関係を特定する例を説明してきた。しかしながら、本発明はこれに限定されるものではなく、自身を一意に識別する情報を有する装置は、表示部６０以外の自身を一意に識別する情報を有する装置であってもよい。また、自身を一意に識別する情報を有さない装置は、認証部７０に限定されるものではなく、認証部７０以外の自身を一意に識別する情報を有さない装置であってもよい。
【００８２】
また、上述の実施例１及び実施例２では、認証部７０、１７０の記憶部７３に、出納機１、１０１の操作権限を有する担当者の認証情報である指静脈情報を記憶されているものとしたが、本発明はこれに限定されない。例えば、出納機１、１０１の操作権限を有する担当者の認証情報である指静脈情報を管理する管理サーバを設けて、認証部７０、１７０は、装置の立ち上げ時に当該管理サーバから権限を有する担当者の指静脈情報を取得して、取得した情報で登録生体データ７３ａを生成するようにしてもよい。また、認証部７０、１７０は、生体情報を取得するだけの装置とし、取得した生体情報を出納機１、１０１若しくは管理サーバに送信して、出納機１、１０１若しくは管理サーバで認証処理を行うようにしてもよい。
【００８３】
なお、上述の実施例１及び実施例２では、認証部７０、１７０は指静脈情報に基づく認証処理を行う装置である旨を説明したが、本発明は指静脈に基づく認証処理装置に限定されるものではない。例えば、認証部７０、１７０は、手のひらの静脈、指紋、顔又は虹彩などの生体情報に基づく認証処理装置であってもよい。
【００８４】
なお、上述の実施例１及び実施例２では、出納機１、１０１に２セットの表示部６０及び認証部７０、１７０が接続される場合の例を説明してきたが、本発明はこれに限定されるものではない。例えば、出納機１、１０１に表示部６０及び認証部７０、１７０が、３セット以上接続される場合であっても同様に対応関係を特定することができる。
【００８５】
また、上述の実施例１及び実施例２で図示した各構成は機能概略的なものであり、必ずしも物理的に図示の構成をされていることを要しない。すなわち、各装置の分散・統合の形態は図示のものに限られず、その全部又は一部を各種の負荷や使用状況などに応じて、任意の単位で機能的又は物理的に分散・統合して構成することができる。
【産業上の利用可能性】
【００８６】
以上のように、本発明に係る貨幣処理装置、貨幣処理システム及び機器制御方法は、複数のデバイスにそれぞれ新たなデバイスが設けられる場合に、デバイス間の対応関係を効率良く特定することに適している。
【符号の説明】
【００８７】
１、１０１  出納機
１０、７４  制御部
１１、１１１  対応関係特定部
２０、７３  記憶部
２１、２２、１２１  機器接続データ
３１  バラ紙幣処理部
３２  束紙幣処理部
３３  バラ硬貨処理部
３４  包装硬貨処理部
４０  ＵＳＢハブ
５１  第１表示操作部
５２  第２表示操作部
６０、６０ａ、６０ｂ  表示部
６１、６１ａ、６１ｂ  操作部
７０、７０ａ、７０ｂ、１７０、１７０ａ、１７０ｂ  認証部
７１  通信部
７２  撮像部
７３ａ  登録生体データ
７３ｂ  取得生体データ
７４ａ  認証処理部
１２２  ペア設定データ
１７３、１７３ａ、１７３ｂ  設定切替部
１７４ｂ  装置ＩＤ通知部
【図１】
0006531012.tif 000002
【図２】
0006531012.tif 000003
【図３】
0006531012.tif 000004
【図４】
0006531012.tif 000005
【図５】
0006531012.tif 000006
【図６】
0006531012.tif 000007
【図７】
0006531012.tif 000008
【図８】
0006531012.tif 000009
【図９】
0006531012.tif 000010
【図１０】
0006531012.tif 000011
【図１１】
0006531012.tif 000012